(57)【要約】【課題】  左右の鼻隠し板の様々な接続角度に対応できる鼻隠し板用継ぎ手を提供する。【解決手段】  左右の鼻隠し板４の隣り合っている端部の正面のうち一方の鼻隠し板の端部の正面を被覆するための第１の正面被覆板７1 と、他方の鼻隠し板の端部の正面を被覆するための第２の正面被覆板７2 とをその境界線に沿って設けたヒンジ部６を介して一体に接合し、第１の正面被覆板の上端部には前記一方の鼻隠し板の上面を被覆するほぼ矩形の第１の上面被覆板８1 を、第２の正面被覆板の上端部には前記他方の鼻隠し板の上面を被覆するほぼ矩形の第２の上面被覆板８2 をそれぞれ一体に形成し、第１の正面被覆板と第２の正面被覆板の前記ヒンジ部を中心とする相対角度を任意に変えることができるように、第１の上面被覆板の第２の上面被覆板側のほぼ半分の部分８1 ａと第２の上面被覆板の第１の上面被覆板側のほぼ半分の部分８2 ａの一方を、他方の上面よりも高い位置に形成した。【選択図】    図４
2005248510.tif 000002
【特許請求の範囲】
【請求項１】
左右近接して取付けられる二つの鼻隠し板の隣り合っている端部の正面のうち一方の鼻隠し板の端部の正面を被覆するための第１の正面被覆板と他方の鼻隠し板の端部の正面を被覆するための第２の正面被覆板とがその境界線に沿って設けられたヒンジ部を介して一体に接合され、第１の正面被覆板の上端部には前記一方の鼻隠し板の上面を被覆するほぼ矩形の第１の上面被覆板が、第２の正面被覆板の上端部には前記他方の鼻隠し板の上面を被覆するほぼ矩形の第２の上面被覆板がそれぞれ一体に形成され、前記第１の正面被覆板と第２の正面被覆板の前記ヒンジ部を中心とする相対角度を任意に変えることができるように、前記第１の上面被覆板の第２の上面被覆板側のほぼ半分の部分と第２の上面被覆板の第１の上面被覆板側のほぼ半分の部分の一方が他方の上面よりも高い位置に形成されていることを特徴とする鼻隠し板用継ぎ手。
【請求項２】
第１の上面被覆板の第２の上面被覆板側のほぼ半分の上面側を肉取りして薄くし、第２の上面被覆板の第１の上面被覆板側のほぼ半分の下面側を肉取りして薄くすることにより、前記第１の上面被覆板の第２の上面被覆板側のほぼ半分の部分と第２の上面被覆板の第１の上面被覆板側のほぼ半分の部分の一方が他方の上面よりも高い位置に設けられていることを特徴とする請求項１に記載の鼻隠し板用継ぎ手。
【請求項３】
第１の上面被覆板の第２の上面被覆板と反対側の端部と第２の上面被覆板の第１の上面被覆板と反対側の端部にそれぞれ鼻隠し板の上面を越える位置まで突出する固着片が設けられ、その固着片にねじ貫通孔が形成されていることを特徴とする請求項１又は２に記載の鼻隠し板用継ぎ手。
【請求項４】
各固着片は、第１の上面被覆板又は第２の上面被覆板の厚みに鼻隠し板の上端部に設けられている被係止縁の厚みを加えた厚みを有していることを特徴とする請求項１，２又は３に記載のの鼻隠し板用継ぎ手。
【発明の詳細な説明】
【技術分野】
【０００１】
本発明は、例えばガーデンデッキのデッキパネル等に装着される鼻隠し板用継ぎ手に関する。
【背景技術】
【０００２】
ガーデンデッキのデッキパネルは、一般的に、長尺形材からなる複数枚のデッキ材を大引の上面に隣接して載せ、固着具により固着して構成されるので、とくにデッキ材の長手方向端部及び大引の長手方向端部の複雑な形状を隠蔽してデッキパネルの美観を向上させ又は化粧するために、デッキパネルの周辺のうち建物の外壁に当接されない部分に鼻隠し板が装着される。
【０００３】
鼻隠し板は一般的に剛性を有する直線的な板材で作られているが、デッキパネルの周辺の平面形状は長方形や正方形などの９０度のコーナ部を有するものに限らず、変形四角形五角形あるいは六角形などの角度が９０度を越えるコーナ部を有するものがあり、しかも、直線状の一辺の長さにも様々なものがある。そして、長い直線部においても、また、コーナ部においても、左右に隣接する鼻隠し板の長手方向端部間に隙間が露呈されないように、何らかの処理が施されている。
【０００４】
従来は、前記隙間に詰め物（シール材）を押入するとか、両側の鼻隠し板の長手方向端部に跨がってその間の隙間を隠蔽する継ぎ手を取付けるとかしていた。
【発明の開示】
【発明が解決しようとする課題】
【０００５】
しかし、シール材は左右の鼻隠し板の接続角度の如何を問わず、容易に施工できる利点があるが、熱による伸縮の反復によりクラックを生じてシール状態が劣化したり、美観が低下するなどの問題がある。また、従来の継ぎ手は、形状が一定不変の構造を有するので、左右の鼻隠し板の様々な接続角度に対応することができず、接続可能な角度が生産時に決定されてしまうため、現実の接続角度に対応可能な継ぎ手を得るには生産コストが高くつくという問題がある。さらに、従来の継ぎ手は、鼻隠し板にねじ止めにより取付けられるが、鼻隠し板は通常薄く作られているので取付けが困難であり、とくに継ぎ手を鼻隠し板の接続角度に合わせて折り曲げて取付ける場合は、取付が一層困難になり、取付け状態が不確実になる問題があった。
【０００６】
本発明は上記の点に鑑みてなされたものであり、第一の課題は、左右の鼻隠し板の様々な接続角度に容易に対応できる鼻隠し板用継ぎ手を提供することにあり、第二の課題は、左右の鼻隠し板の接続角度の変化に容易に対応でき、かつ、角度の変化に関わらず、容易かつ確実な取付けが可能な鼻隠し板用継ぎ手を提供することにある。
【課題を解決するための手段】
【０００７】
上記第一の課題を解決するため、本発明に係る継ぎ手は、左右近接して取付けられる二つの鼻隠し板の隣り合っている端部の正面のうち一方の鼻隠し板の端部の正面を被覆するための第１の正面被覆板と他方の鼻隠し板の端部の正面を被覆するための第２の正面被覆板とがその境界線に沿って設けられたヒンジ部を介して一体に接合され、第１の正面被覆板の上端部には前記一方の鼻隠し板の上面を被覆するほぼ矩形の第１の上面被覆板が、第２の正面被覆板の上端部には前記他方の鼻隠し板の上面を被覆するほぼ矩形の第２の上面被覆板がそれぞれ一体に形成され、前記第１の正面被覆板と第２の正面被覆板の前記ヒンジ部を中心とする相対角度を任意に変えることができるように、前記第１の上面被覆板の第２の上面被覆板側のほぼ半分の部分と第２の上面被覆板の第１の上面被覆板側のほぼ半分の部分の一方が他方の上面よりも高い位置に形成されていることを特徴としている。
上記構成により、第１の上面被覆板及び第２の上面被覆板を左右の鼻隠し板の上面に載せ、第１の正面被覆板及び第２の正面被覆板を左右の鼻隠し板の長手方向端部の正面に当接して固着すると、第１の正面被覆板と第２の正面被覆板のヒンジ部を中心とする開き角度を左右の鼻隠し板の相対角度に自ずと合致させることができる。また、左右の鼻隠し板の間の隙間が隠蔽される。第１の上面被覆板と第２の上面被覆板はほぼ矩形であるから、相対角度が１８０度の場合は両被覆板が左右の鼻隠し板の隣接する上面の間の隙間を隠蔽し、相対角度が１８０度未満の場合も両被覆板が一部重なりあって鼻隠し板の隣接する上面の間の隙間を隠蔽する。
【０００８】
第１の上面被覆板の第２の上面被覆板側のほぼ半分の部分と第２の上面被覆板の第１の上面被覆板側のほぼ半分の部分の一方を他方の上面よりも高い位置に形成するには、第１の上面被覆板と第２の上面被覆板を同じ高さに形成するとともに、第１の上面被覆板の第２の上面被覆板側のほぼ半分の上面側を肉取りして薄くし、第２の上面被覆板の第１の上面被覆板側のほぼ半分の下面側を肉取りして薄くすることが好ましい。
上記構成により、材料消費量の削減が可能であり、成形も容易である。
【０００９】
上記第二の課題を解決するため、本発明に係る継ぎ手は、第１の上面被覆板の第２の上面被覆板と反対側の端部と第２の上面被覆板の第１の上面被覆板と反対側の端部にそれぞれ鼻隠し板の上面を越える位置まで突出する固着片が設けられ、その固着片にねじ貫通穴が形成されていることを特徴としている。
上記構成により、継ぎ手を正面被覆板において鼻隠し板に固着するに止まらず、固着片において例えばデッキパネルにも固着することができ、全体として強固で確実な取付けが可能である。
【００１０】
本発明を例えばデッキパネルの鼻隠し板に適用する場合は、各固着片は、第１の上面被覆板又は第２の上面被覆板の厚みに鼻隠し板の上端部に設けられている被係止縁の厚みを加えた厚みを有していることが望ましい。
このような構成とすることにより、固着片の下面とデッキパネルの上面の間に隙間が生じることが防止される。従って、隙間によりごみの挟み込みや怪我が予防される。
【発明の効果】
【００１１】
請求項１の発明によれば、鼻隠し板用継ぎ手は、左右に近接する鼻隠し板のうち一方の鼻隠し板の端部の正面を被覆するための第１の正面被覆板と他方の鼻隠し板の端部の正面を被覆するための第２の正面被覆板とをその境界線に沿って設けられたヒンジ部を介して一体に接合され、第１の正面被覆板の上端部には一方の鼻隠し板の上面を被覆するほぼ矩形の第１の上面被覆板が、第２の正面被覆板の上端部には他方の鼻隠し板の上面を被覆するほぼ矩形の第２の上面被覆板がそれぞれ一体に形成され、第１の正面被覆板と第２の正面被覆板の前記ヒンジ部を中心とする相対角度を任意に変えることができるように、第１の上面被覆板の第２の上面被覆板側のほぼ半分と第２の上面被覆板の第１の上面被覆板側のほぼ半分の一方が他方の上面よりも高い位置に形成されているので、左右の鼻隠し板の様々な接続角度に容易に対応することができると友に、左右の鼻隠し板の間の隙間が正面及び上面において隠蔽される。。
【００１２】
また、請求項３による鼻隠し板用継ぎ手は、第１の上面被覆板の第２の上面被覆板と反対側の端部と第２の上面被覆板の第１の上面被覆板と反対側の端部にそれぞれ鼻隠し板の上面を越えた位置まで突出する固着片が設けられ、その固着片にねじ貫通孔が形成されているので、左右の鼻隠し板の接続角度の変化に容易に対応でき、かつ、相対角度の大小に関わらず、継ぎ手を鼻隠し板と例えばデッキパネル等に容易かつ確実に取付けることが可能である。
【発明を実施するための最良の形態】
【００１３】
次に、本発明による鼻隠し板用継ぎ手（以下、単に継ぎ手という。）をカーデンデッキのドッキパネルに装着される鼻隠し板に適用した場合の実施の形態について図面に基づいて説明する。
図１は本発明による継ぎ手を用いたガーデンデッキの一例の平面図、図２は継ぎ手の構成を説明する図であり、（ａ）は平面図、（ｂ）は（ａ）のＸ−Ｘ線に沿った断面図、図３は同継ぎ手の背面側から見た斜視図、図４は継ぎ手の作用説明図、図５は図４の（ｃ）のＹ−Ｙ線に沿った断面図である。
【００１４】
図１において、１は地面に立設された図示されていない束柱の上端部に水平にかつ互いに平行状態に取付けられた大引であり、２1 ，２2 ，２3 …２n-2 ，２n-1 ，２n はそれらの大引の上面に平行状態に載せてねじ等の固着具により固着されたデッキ材であり、大引とデッキ材の全体でガーデンデッキのデッキパネルＤＰを構成している。３は建物外壁である。
【００１５】
デッキパネルＤＰの建物外壁３に当接して被覆されている建物側端辺を除く３つの端辺ａ，ｂ，ｃには図５に符号４で例示する断面形状を有する鼻隠し板４ａ，４ｂ，４ｃが取付けられている。鼻隠し板４ａ，４ｂ，４ｃはいずれも同一の断面形状を有する。すなわち、鼻隠し板４は上端部においてデッキ材の上面側に延出する係止部４１と、係止部４１の一端部から垂下する正面部４２と、正面部４２の下端部から係止部４１と同一方向に延出する水切部４３とを有している。
【００１６】
そして、鼻隠し板４は、係止部４１をデッキ材２の上面端部に係止し、かつ、正面部４２をデッキパネルＤＰの正面に当接させ、かつ、水切部４３を大引１の下面側に延出させた状態で、正面部４２からねじ５をデッキ材２にねじ込んで止着される。図１のデッキパネルＤＰの左辺ａの鼻隠し板４ａは端部のデッキ材２1 の幅方向端部と大引１の長手方向端部とを被覆し、同じく中央辺ｂの鼻隠し板４ｂはデッキ材２1 〜２9 の長手方向端部を被覆し、同じく右辺ｃの鼻隠し板４ｃはデッキ材２10〜２n の長手方向端部と大引１の長手方向端部とを被覆している。
【００１７】
左辺ａの鼻隠し板４ａと中央辺ｂの鼻隠し板４ｂはその長手方向端部が近接されており、その間に図示されていない隙間が存在する。そして、右辺ａと中央辺ｂのなすコーナ部の角度は９０度であるので、このコーナ部には、両鼻隠し板４ａ，４ｂの隣接する端部に跨がりその間の隙間を隠蔽する既知の直角継ぎ手Ｊｃがねじ止めなど既知の方法で固着されている。
【００１８】
中央辺ｂの鼻隠し板４ｂと右辺ｃの鼻隠し板４ｃは、同様にその長手方向端部が近接されており、その間に同様に図示されていない隙間が存在する。この右辺ａと中央辺ｂのなすコーナ部の角度は約１２０度である。このコーナ部には、左右の鼻隠し板４ｂと４ｃの接続角度の如何に関わりなく取付け可能な本発明に係る継ぎ手Ｊｎが取付けられている。  
【００１９】
継ぎ手Ｊｎは、図２，３に示すように、比喩的に表現すると、２連屏風状に構成されている。すなわち、継ぎ手Ｊｎは、左右方向の中間に位置するヒンジ部６を介して一体に接合された第１の正面被覆板７1 と第２の正面被覆板７2 とを有し、そのヒンジ６を中心として回動して両正面被覆板７1 ，７2 の相対角度を任意に変化させることができる。第１の正面被覆板７1 はデッキパネルの左右近接して取付けられる二つの鼻隠し板の隣り合っている長手方向端部の正面のうち、一方（デッキパネルを外側から見て左側）の鼻隠し板の端部の正面を被覆するためのものであり、第２の正面被覆板７2 は他方（デッキパネルを外側から見て右側）の鼻隠し板の端部の正面を被覆するためのものである。従って、両正面被覆板７1 ，７2 の高さは鼻隠し板の正面部の高さとほぼ等しい。
【００２０】
継ぎ手Ｊｎは、また、各正面被覆板７1 ，７2 の上端部にその背面側に水平に延出するほぼ矩形の第１の上面被覆板８1 及び第２の上面被覆板８2 を有する。第１の上面被覆板８1 は一方の鼻隠し板の長手方向端部上面を被覆する大きさを有し、また、第２の上面被覆板８2 は他方の鼻隠し板の長手方向端部上面を被覆する大きさを有している。そして、第１の上面被覆板８1 の第２の上面被覆板８2 側のほぼ半分の部分８1 ａは、第２の上面被覆板８2 の第１の上面被覆板８1 側のほぼ半分の部分８2 ａの上面よりも高い位置に設けられており、これにより、第１の正面被覆板1 と第２の正面被覆板８2 は、互いに他と干渉せずにヒンジ部６を中心として正面被覆板７1 ，７2 の相対角度が１８０度から９０度までの範囲での回動を可能にし、かつ、正面被覆板７1 ，７2 の相対角度が１８０度の状態から９０度までのいずれの角度においても両上面被覆板８1 ，８2 の間に隙間が生じないようにしてある。
【００２１】
継ぎ手Ｊｎには、好ましくは、両正面被覆板７1 ，７2 の下端部のヒンジ部６と反対側の端部からヒンジ部６までの距離のほぼ半分の位置までの間に背面側に延出する下面被覆板９1 ，９2 が設けられている。この下面被覆板９1 ，９2 は、鼻隠し板４の長手方向端部の下端部と水切部４３とを被覆することができる大きさを有している。
【００２２】
さらに、継ぎ手Ｊｎには、これをデッキパネルのコーナ部に隣接する鼻隠し板４の長手方向端部を被覆するように装着したときに、少なくとも鼻隠し板４の正面部４２に固着するためのねじＳ１を挿通するため、両正面被覆板７1 ，７2 にねじ貫通孔１０1 ，１０2 が好ましくは上下に設けられている。
【００２３】
最も好ましい実施例においては、継ぎ手Ｊｎの第１の上面被覆板８1 と第２の上面被覆板８2 の互いに最も遠い位置において両正面被覆板７1 ，７2 の背面から遠ざかる方向に突出する固着片１１1 ，１１2 が設けられ、各固着片にねじ貫通孔１２1 ，１２2 が形成されている。この固着片１１1 ，１１2 を設けた場合は、継ぎ手Ｊｎをさらにデッキ材２にもねじで固着することが可能になる。固着片１１1 ，１１2 はデッキ材の上面との間に隙間が生じることを避けるため、上面被覆板８1 ，８2 よりも下方に鼻隠し板の係止縁４１と厚さと等しい厚み分を付加した厚肉としてデッキ材の上面に当接させることを可能にしてある。
【００２４】
上記の構成により、継ぎ手Ｊｎを左右の鼻隠し板の端部が隣接する部分に取付ける時は、図４，５に示すように、第１の上面被覆板８1 を左側の鼻隠し板４1 の上部４１の上面に当接し、固着片１１1 ，１１2 が設けてある場合は、その固着片１１1 ，１１2 をデッキ材２の上面に当接させ、両正面被覆板７1 ，７2 をそれぞれ左右の鼻隠し板４1 ，４2 の正面部の長手方向端部に当接させ、さらに下面被覆板９1 ，９2 が設けてある場合は、これらで左右の鼻隠し板の水切部４３を隠蔽する。そして、固着片１１1 ，１１2 が設けてある場合は、それぞれのねじ貫通孔１２1 ，１２2 からねじＳ２をデッキ材２にねじ込んで上面被覆板８1 ，８2 をしっかりとデッキ材に固着し、両正面被覆板７1 ，７2 のねじ貫通孔１０1 ，１０2 からねじＳ１を左右の鼻隠し板の正面部４２にねじ込む。これにより、継ぎ手Ｊｎはデッキパネルと鼻隠し板に確実強固に固定される。
【００２５】
上述のように、両正面被覆板７1 ，７2 とこれらに一体に設けられた上面被覆板８1 ，８2 及び下面被覆板９1 ，９2 は、ヒンジ部６を中心として１８０度から９０度までの範囲で任意の相対角度に変化可能であるから、同一構成の継ぎ手Ｊｎを図４（ａ）〜（ｃ）に例示するように、左右の鼻隠し板４1 ，４2 が直線状に連続される場合、１２０度のコーナ部において連続される場合、あるいは９０度のコーナ部において連続される場合など、任意の角度のコーナ部にも同様の要領で確実強固に取付けることができる。
【００２６】
従って、左右の鼻隠し板の接続角度の如何を問わず、一種類の継ぎ手を用意するだけで済むので、部品生産コスト及び管理手間の著しい軽減効果が得られる。
【産業上の利用可能性】
【００２７】
上記の実施例では、鼻隠し板が水平方向に連設される場合に限定して説明したが、本発明は、鼻隠し板の連設方向の如何を問わず、適用可能であることは言うまでもない。また、適用対象はガーデンデッキのデッキパネル用鼻隠し板に限定されない。
【図面の簡単な説明】
【００２８】
【図１】本発明による継ぎ手を用いたガーデンデッキの一例の平面図。
【図２】継ぎ手の構成を説明する図であり、（ａ）は平面図、（ｂ）は（ａ）のＸ−Ｘ線に沿った断面図である。
【図３】同継ぎ手の背面側から見た斜視図。
【図４】継ぎ手の作用説明図。
【図５】図４の（ｃ）のＹ−Ｙ線に沿った断面図。
【符号の説明】
【００２９】
１      大引
２，２1 〜２n     デッキ材
４，４ａ〜４ｃ  鼻隠し板
Ｊｎ    継ぎ手
６      ヒンジ部
７1     第１の正面被覆板
７2     第２の正面被覆板
８1     第１の上面被覆板
８2     第２の上面被覆板
１１1 ，１１2   固着片
【図１】
2005248510.tif 000003
【図２】
2005248510.tif 000004
【図３】
2005248510.tif 000005
【図４】
2005248510.tif 000006
【図５】
2005248510.tif 000007